(57)【特許請求の範囲】
【請求項１】
化粧料の収納部開口が形成された容器本体と、この容器本体を開閉する外蓋と、これら容器本体と外蓋との間に配置されて上記収納部開口を開閉自在に閉止して気密にシールする環状突部が形成された中蓋と、容器本体に対し、外蓋をフリーストップ機能をもって蝶着しかつ中蓋を揺動自在に蝶着する蝶番と、外蓋と中蓋との間に設けられ、中蓋を揺動自在に外蓋に係止して一度の開動操作で容器本体を開放すべく外蓋に伴って中蓋を一体に一挙に開閉動作させる係止手段と、容器本体の被係合部と外蓋および中蓋のいずれか一方の、被係合部に係脱自在な係合部とから構成され、外蓋により容器本体を閉止させるフック機構とを備えたことを特徴とする化粧料容器。
【請求項２】
上記フック機構は、上記容器本体と係脱される係合部と、この係合部の係合を解除する操作部とを備えたフックピースを有し、このフックピースを上記中蓋に一体的に形成したことを特徴とする請求項１に記載の化粧料容器。
【請求項３】
上記操作部を上記中蓋から突出形成する一方、上記外蓋にはこの操作部が貫通する挿入穴を形成し、この挿入穴に操作部を挿通させて上記係止手段を構成することを特徴とする請求項２に記載の化粧料容器。
【発明の詳細な説明】
【０００１】
【発明の属する技術分野】
本発明は、化粧料を気密構造をもって収納するとともに、容易に開閉操作することができる化粧料容器に関する。
【０００２】
【従来の技術】
一般に、化粧料の携帯にコンパクトと称される化粧料容器が用いられるが、この化粧料容器には収納した化粧料がこぼれるのを防止するため密閉性が要求され、特に、化粧料が揮発性である場合には気密保持性が要求される。この種の気密保持機能を有する化粧料容器としては、例えば実公平７−１０６５８号公報に開示されたものがある。即ち、この化粧料容器は容器本体に化粧料の収納部が形成され、この容器本体が中蓋と外蓋との二重蓋構造をもって閉止される。これら中蓋および外蓋は後端部が蝶番を介して開閉自在に容器本体に取り付けられるとともに、外蓋の前端部に設けたフック機構が容器本体に係合されるようになっている。
【０００３】
中蓋には、容器本体の化粧料収納部の開口部内周に密接嵌合される環状突部が形成され、中蓋の閉止状態ではこの環状突部によって化粧料収納部内の気密保持が行われる。このとき、中蓋の蝶着部分は前後方向に揺動自在として、中蓋の閉止時に環状突部が化粧料収納部の開口部にこじれることなくスムーズに嵌合されるようになっている。
【０００４】
【発明が解決しようとする課題】
しかしながら、かかる従来の化粧料容器にあっては、二重蓋構造となる中蓋と外蓋とは蝶番ピンを共有するも、それぞれが個別に容器本体に蝶着される。このため、化粧料の使用時には、まず、フック機構を解除して外蓋を開けた後に、中蓋を開けるようになっている。このため、蓋体の開動操作が外蓋と中蓋の二度手間になって複雑化されてしまう。また、化粧料容器の組付け時には、外蓋と中蓋とをそれぞれ個別に保持して容器本体に組み付ける必要があるため、組付け作業性が低下されてしまう。
【０００５】
更に、中蓋は上述したように蝶着部分が揺動自在、つまり、ある程度のガタ付きをもっているため、この蝶着部分にフリーストップに必要な回転抵抗を与えることができない。このため、中蓋は任意の開動位置で静止させることができず、化粧料の使用時には中蓋を全開状態にしておくか、または途中の開動状態では手で保持しておく必要がある。この場合、全開状態にした場合は中蓋が広がって邪魔になるとともに、手で保持する場合には片手が塞がってしまうため、化粧料容器の使用時の利便性が低下される。また、化粧料収納部に化粧料を充填する工程では、一般に中蓋，外蓋の組み付けを完了した状態で行われるが、このとき、中蓋のフリーストップ機能が無いことにより、充填作業性が悪化されるという課題があった。
【０００６】
そこで、本発明はかかる従来の課題に鑑みて成されたもので、中蓋と外蓋との二重蓋構造を備えた化粧料容器にあって、中蓋に揺動性を備えてこれの環状突部と化粧料の収納部開口との良好な嵌合性を確保しつつ、中蓋にフリーストップ機能を兼備し、かつ、外蓋と中蓋との開動操作性を向上するようにした化粧料容器を提供することを目的とする。
【０００７】
【課題を解決するための手段】
かかる目的を達成するために本発明の請求項１に示す化粧料容器は、化粧料の収納部開口が形成された容器本体と、この容器本体を開閉する外蓋と、これら容器本体と外蓋との間に配置されて上記収納部開口を開閉自在に閉止して気密にシールする環状突部が形成された中蓋と、容器本体に対し、外蓋をフリーストップ機能をもって蝶着しかつ中蓋を揺動自在に蝶着する蝶番と、外蓋と中蓋との間に設けられ、中蓋を揺動自在に外蓋に係止して一度の開動操作で容器本体を開放すべく外蓋に伴って中蓋を一体に一挙に開閉動作させる係止手段と、容器本体の被係合部と外蓋および中蓋のいずれか一方の、被係合部に係脱自在な係合部とから構成され、外蓋により容器本体を閉止させるフック機構とを備える。
【０００８】
従って、この構成になる化粧料容器は、容器本体は係止手段により、一度の開動操作で一体に一挙に開閉動作される中蓋と外蓋との二重蓋構造をもって閉止されるようになっており、化粧料の使用時には、外蓋および中蓋を開けて収納部開口を開放して用いる。一方、使用後は中蓋および外蓋を閉止して収納部開口を密閉するようになっており、このとき、フック機構が係合されて外蓋、ひいては中蓋も閉止状態が維持される。
【０００９】
ところで、外蓋および中蓋は蝶番を介して容器本体に蝶着されるが、この蝶着部分において中蓋は揺動自在となっている。このため、中蓋を閉止してこれに形成した環状突部を容器本体の収納部開口に嵌合する際に、中蓋が揺動することにより環状突部は収納部開口との間でこじれを生ずることなく滑らかに密接嵌合する。従って、中蓋は小さな閉止力で収納部開口を密閉して気密を保持することができる。
【００１０】
そして、このように中蓋は揺動自在に蝶着されるが、この中蓋は係止手段を介して外蓋に係止され、これら外蓋および中蓋は一体に一挙に開閉動作される。このため、化粧料の使用時にはフック機構を係合解除することにより、一体に一挙に中蓋は外蓋に伴って開けることができ、一度の蓋体の開動操作で容器本体を開放できるため、その操作性が向上されることになる。このとき、中蓋は揺動自在に蝶着されるが、外蓋はフリーストップ機能をもって蝶着されているため、このフリーストップ機能は中蓋にも備わることになる。従って、化粧料容器を使用するときの利便性および化粧料の充填作業性が向上する。また、このように中蓋と外蓋は一体に一挙に開閉されるが、中蓋は揺動自在に外蓋に係止されるため、環状突部と収納部開口との良好な嵌合性は維持される。
【００１１】
また、本発明の請求項２に示す化粧料容器は、上記フック機構が、上記容器本体と係脱される係合部と、この係合部の係合を解除する操作部とを備えたフックピースを有し、このフックピースを上記中蓋に一体的に形成する。
【００１２】
従って、この構成になる化粧料容器は、フック機構は中蓋に形成したフックピースによって容器本体と係脱されるようになっており、このフックピースによって中蓋が容器本体に係合されることにより、中蓋に係止された外蓋の閉止状態が維持される。そして、上記フックピースが中蓋から一体に形成されることにより、部品点数が削減されるとともに、その組付け工数が減少して化粧料容器のコスト低減を図ることができる。
【００１３】
更に、本発明の請求項３に示す化粧料容器は、上記操作部を上記中蓋から突出形成する一方、上記外蓋にはこの操作部が貫通する挿入穴を形成し、この挿入穴に操作部を挿通させて上記係止手段を構成することが望ましい。
【００１４】
従って、この構成になる化粧料容器は、外蓋に形成した挿入穴に中蓋の操作部を挿通することにより、この操作部を外蓋の外方から操作することができる。そして、操作部が挿入穴に挿通されることにより中蓋は外蓋に係止されることになり、係止手段としてこれら操作部と挿入穴とを兼用することにより、その構造を簡略化でき、組み付け性も向上する。
【００１５】
【発明の実施の形態】
以下、本発明の実施形態を添付図面を参照して詳細に説明する。図１から図６は本発明の化粧料容器の一実施形態を示し、図１は化粧料容器の一部を破断して示す分解斜視図、図２は外蓋および中蓋を閉止した化粧料容器の平面図、図３は同化粧料容器の正面図、図４は図２中Ａ−Ａ線断面図、図５は図２中Ｂ−Ｂ線断面図、図６はフックピースの作動状態を示す説明図である。
【００１６】
本発明の化粧料容器１０の基本構成は、化粧料の収納部開口１２が形成された容器本体１４と、この容器本体１４を開閉する外蓋１６と、これら容器本体１４と外蓋１６との間に配置されて上記収納部開口１２を開閉自在に閉止して気密にシールする環状突部１８が形成された中蓋２０と、容器本体１４に対し、外蓋１６をフリーストップ機能をもって蝶着しかつ中蓋２０を揺動自在に蝶着する蝶番２２と、外蓋１６と中蓋２０との間に設けられ、中蓋２０を揺動自在に外蓋１６に係止して一度の開動操作で容器本体１４を開放すべく外蓋１６に伴って中蓋２０を一体に一挙に開閉動作させる係止手段２４と、容器本体１４の被係合部５４と外蓋１６および中蓋２０のいずれか一方の、被係合部５４に係脱自在な係合部２８とから構成され、外蓋１６により容器本体１４を閉止させるフック機構２６とを備えて構成される。
【００１７】
また、上記フック機構２６は、上記容器本体１４と係脱される係合部２８と、この係合部２８の係合を解除する操作部３０とを備えたフックピース３２を有し、このフックピース３２を上記中蓋２０に一体的に形成している。
【００１８】
さらに、上記操作部３０を上記中蓋２０から突出形成する一方、上記外蓋１６にはこの操作部３０が貫通する挿入穴３４を形成し、この挿入穴３４に操作部３０を挿通させて上記係止手段２４を構成している。
【００１９】
即ち、本実施形態の化粧料容器１０は、図１，図２に示すように全体的に矩形状に形成され、容器本体１４は周縁部に起立壁１４ａを設けた皿状に形成される。この容器本体１４の中央部には、筒状に形成される収納部開口１２が底面１４ｂから一体に立ち上がり、この収納部開口１２の内部は収納皿３６となって化粧料が充填される。収納部開口１２の外周には環状のパッキン３８が固定され、このパッキン３８の上端部外周には、実質的な気密保持部分となる断面半円状の膨出部３８ａが形成される。
【００２０】
外蓋１６は、上記容器本体１４の外形形状に沿って形成され、その周縁部には容器本体１４の起立壁１４ａに対向するように垂下壁１６ａが環状に設けられ、この垂下壁１６ａは図３に示すように、外蓋１６の閉止時に起立壁１４ａに隙間無く突き合わされる。
【００２１】
中蓋２０は、外蓋１６の垂下壁１６ａの内側に沿った形状に形成され、この垂下壁１６ａの内側に配置される。このとき、中蓋２０の外径寸法は垂下壁１６ａの内径寸法より若干小さく形成され、中蓋２０を垂下壁１６ａ内に配置した際に、中蓋２０はあらゆる方向にガタ付きをもって揺動自在になる。ここに、「揺動」とは、相手部材に対して相対的に移動が許容される状態を意味し、本明細書で記述する「揺動」は全てにおいて同じ意味とする。
【００２２】
中蓋２０の下面中央部から環状突部１８が一体に突設される。この環状突部１８は収納部開口１２の頂部高さ位置よりも低い位置に達するように突出され、かつその内径は上記パッキン３８の膨出部３８ａ外径より若干小径に形成され、図４，図５に示すように中蓋２０の閉止時に環状突部１８が膨出部３８ａ外周に圧入されるようになっている。また、環状突部１８の内方には、中蓋２０の裏面から環状突部１８と同心円状に環状小突起１８ａが突設され、この環状小突起１８ａは中蓋２０の閉止状態でパッキン３８の上端に圧接されるようになっている。
【００２３】
外蓋１６および中蓋２０の後端部は蝶番２２を介して容器本体１４に開閉自在に蝶着される。蝶番２２は、容器本体１４の起立壁１４ａの後方中央部を所定幅に切り欠いた凹部４０に、外蓋１６および中蓋２０の後端部から垂下した第１突出片４２および第２突出片４４を共に嵌合し、これら第１，第２突出片４２，４４に凹部４０両側の起立壁１４ａから蝶番ピン４６を打込むことにより構成される。
【００２４】
外蓋１６の第１突出片４２は、凹部４０の切欠き幅をもって左右に分離して１対設けられる一方、中蓋２０の第２突出片４４は第１突出片４２間の幅よりも若干幅狭に形成され、第１突出片４２間に第２突出片４４を嵌合した状態で、これら第１，第２突出片４２，４４が凹部４０内に嵌合される。ここで、起立壁１４ａおよび第１突出片４２にそれぞれ形成される蝶番ピン４６のピン孔４８，５０は、蝶番ピン４６が圧入されて所定の回転抵抗が得られるようになっており、一方、第２突出片４４に形成されるピン孔５２は、中蓋２０に所定量のガタ付きが得られるように蝶番ピン４６より大径に形成される。従って、外蓋１６は蝶番２２との間に回転抵抗が発生することによりフリーストップ機能が備わり、任意の開動角で停止される一方、中蓋２０は蝶番２２で遊嵌されることにより、容器本体１４および外蓋１６に対してそれぞれ揺動自在となっている。
【００２５】
外蓋１６および中蓋２０はフック機構２６によって閉止状態が維持されるが、このフック機構２６は容器本体１４に係脱されるフックピース３２を備える。フックピース３２は中蓋２０の前端部に一体的に形成され、容器本体１４の起立壁１４ａの前端部内側に形成される被係合部５４に係脱される係合部２８と、この係合部２８を係合解除する操作部３０とを備え、これら係合部２８および操作部３０は、スリット５６によって弾性復原力をもって前後移動されるようになっている。
【００２６】
係合部２８は、上記被係合部５４に対応する位置に垂設される垂下片２８ａの下端部に鈎状に形成されるとともに、操作部３０は垂下片２８ａの上端部から前方に突出して形成される。操作部３０は、外蓋１６の垂下壁１６ａの前端部に形成される挿入穴３４に摺動自在に挿通され、この挿通状態で操作部３０の先端部は挿入穴３４から突出される。従って、挿入穴３４から突出する操作部３０の先端部を押圧することにより、係合部２８はスリット５６の幅を縮めつつ後方に移動できるようになっている。また、操作部３０が挿入穴３４に挿通されることにより、この挿通部分が係止手段２４となって中蓋２０は外蓋１６の垂下壁１６ａ内に係止される。
【００２７】
以上の構成により本実施形態の化粧料容器１０にあっては、容器本体１４に蝶番２２を介して開閉自在に蝶着される外蓋１６および中蓋２０は二重蓋構造となっており、その閉止状態では図６（ａ）に示すようにフック機構２６が係合された状態にある。このフック機構２６の係合状態では、係合部２８が被係合部５４に係合されてフックピース３２が前方に突出しており、操作部３０の先端部が挿入穴３４から突出されている。
【００２８】
また、中蓋２０が閉止されることにより、環状突部１８がパッキン３８の膨出部３８ａ外周に圧入されて、収納部開口１２内が気密に保持される。このことにより、収納皿３６内に充填される化粧料が揮発性のものであっても、その揮発が阻止されて品質の低下が防止される。また、収納部開口１２内の気密保持は、環状小突起１８ａがパッキン３８上端に圧接されることで、環状突部１８が膨出部３８ａに圧接されていることと相俟って二重シール構造となり、その気密保持性が著しく向上される。
【００２９】
そして、化粧料の使用時には、図６（ｂ）に示すように外蓋１６から突出する操作部３０の先端部を押圧することにより、被係合部５４に係合している係合部２８が離脱されてフック機構２６が係合解除される。すると、図６（ｃ）に示すように外蓋１６および中蓋２０を開けることができるようになり、中蓋２０が開かれる初期段階では、まず、環状突部１８とパッキン３８との気密状態が解除され、そして、更に中蓋２０が大きく開かれることにより収納部開口１２を開放することができ、これによって収納皿３６内の化粧料を使用することができる。
【００３０】
次に、化粧料の使用が終了すると、外蓋１６および中蓋２０を閉止することにより、環状突部１８および環状小突起１８ａがパッキン３８に圧接して収納部開口１２を気密状態にするとともに、フックピース３２の係合部２８が容器本体１６側の被係合部５４を乗り越えて係合してフック機構２６が係合し、外蓋１６および中蓋２０の閉止状態を保持する。
【００３１】
ところで、外蓋１６および中蓋２０は蝶番２２を介して容器本体１４に蝶着されているが、この蝶着部分において中蓋２０は揺動自在となっているため、中蓋２０を閉止してこれに形成した環状突部１８を収納部開口１２のパッキン３８に嵌合する際に、中蓋２０が自在に揺動することにより、環状突部１８は収納部開口１２との間でこじれを生ずることなく滑らかに密接嵌合することになる。即ち、中蓋２０の閉止途中では環状突部１８と収納部開口１２との中心軸間に傾斜があり、この中心軸の傾斜により環状突部１８とパッキン３８とが嵌合しようとする時点で両者間にこじれが発生するが、上記中蓋２０の揺動機能により、パッキン３８に対して環状突部１８が相対移動して、両者がこじれるのを避けることができる。従って、中蓋２０は小さな閉止力でパッキン３８外周に適切かつ的確に圧入されて収納部開口１２を密閉し、収納皿３６内の気密を保持することができる。
【００３２】
一方、中蓋２０は係止手段２４を介して外蓋１６に係止されることにより、これら外蓋１６および中蓋２０は一体に一挙に開閉動作される。このため、化粧料の使用時にはフック機構２６を係合解除することにより、中蓋２０は外蓋１６に伴って開けられ、一度の蓋体の開動操作で容器本体１４を開放することができるため、その操作性が大幅に向上されることになる。
【００３３】
また、このように外蓋１６と中蓋２０とが一体に開閉動作されることにより、揺動自在に蝶着された中蓋２０を、フリーストップ機能を備えた外蓋１６で支持できるため、結果的に中蓋２０にもフリーストップ機能が備わることになる。従って、外蓋１６および中蓋２０は任意の開動位置に停止させることができるため、化粧料使用時の利便性が向上される。ところで、このように外蓋１６と中蓋２０とが一体に開閉動作されるが、中蓋２０は揺動自在に外蓋１６に係止されるため、環状突部１８と収納部開口１２との良好な嵌合性は維持される。
【００３４】
また、本実施形態ではフック機構２６に係合部２８および操作部３０が形成されるフックピース３２を備えるが、このフックピース３２を、スリット５６を設けることにより中蓋２０から一体に形成したので、化粧料容器１０全体の部品点数が削減されるとともに、その組付け工数が減少して化粧料容器１０のコスト低減を図ることができる。
【００３５】
更に、中蓋２０を外蓋１６に係止する係止手段２４として、フックピース３２から突出する操作部３０と、これを挿通すべく外蓋１６に形成した挿入穴３４とを採用したので、係止手段２４を別途設ける必要が無く、その構造を簡略化することができる。
【００３６】
ところで、本実施形態にあっては化粧料容器１０を全体的に矩形状に形成したが、その形状は特に限定されるものではない。
【００３７】
【発明の効果】
以上説明したように本発明の化粧料容器にあっては、容器本体が係止手段により、一度の開動操作で一体に一挙に開閉動作される中蓋と外蓋との二重蓋構造をもって閉止され、外蓋はフリーストップ機能をもって蝶着されるとともに、中蓋は蝶着部分において揺動自在となっている。このため、中蓋の環状突部を容器本体の収納部開口に嵌合する際に、中蓋が自在に揺動して環状突部は収納部開口との間でこじれを生ずることなく滑らかに密接嵌合することができる。また、中蓋は係止手段を介して外蓋に係止されて両者は一体に一挙に開閉動作されるため、これら外蓋および中蓋は一度の開動操作で容器本体を開放でき、その操作性を大幅に向上することができる。また、外蓋と中蓋が一体に一挙に開閉動作されることにより、外蓋のフリーストップ機能が中蓋にも備わることになり、外蓋とともに中蓋を任意の開動位置に停止させることができ、化粧料使用時の利便性、並びに化粧料充填時の作業性が向上する。ところで、このように外蓋と中蓋との間に係止手段が設けられるが、中蓋は揺動自在に外蓋に係止されるため、環状突部と収納部開口との良好な嵌合性を維持することができる。
【００３８】
また、上記フック機構に、上記容器本体と係脱される係合部と、この係合部の係合を解除する操作部とを有するフックピースを備え、このフックピースを上記中蓋に一体的に形成するようにしたので、部品点数が削減されるとともに、その組付け工数が減少して化粧料容器のコスト低減を図ることができる。
【００３９】
更に、上記操作部を上記中蓋から突出形成する一方、上記外蓋にはこの操作部が貫通する挿入穴を形成し、この挿入穴に操作部を挿通させて上記係止手段を構成するようにしていて、係止手段としてこれら操作部と挿入穴とを兼用できるため、その構造を簡略化することができるとともに組み付け作業性に優れる。
【図面の簡単な説明】
【図１】本発明にかかる化粧料容器の一実施形態を示す一部を破断した分解斜視図である。
【図２】図１の化粧料容器の外蓋および中蓋を閉止した平面図である。
【図３】図１の化粧料容器の外蓋および中蓋を閉止した正面図である。
【図４】図２中Ａ−Ａ線断面図である。
【図５】図２中Ｂ−Ｂ線断面図である。
【図６】図１の化粧料容器のフックピースの作動状態を示す説明図である。
【符号の説明】
１０  化粧料容器
１２  収納部開口
１４  容器本体
１６  外蓋
１８  環状突部
２０  中蓋
２２  蝶番
２４  係止手段
２６  フック機構
２８  係合部
３０  操作部
３２  フックピース
３４  挿入穴
３８  パッキン
【図１】
0004278757.tif 000002
【図２】
0004278757.tif 000003
【図３】
0004278757.tif 000004
【図４】
0004278757.tif 000005
【図５】
0004278757.tif 000006
【図６】
0004278757.tif 000007